(57)【要約】【課題】  冷蔵室の給水タンクから野菜室を介して冷凍室の自動製氷機に給水する冷蔵庫において、蛇腹状の導管を使用することが無く冷蔵庫を提供する。【解決手段】  冷蔵庫１は、断熱箱体２内の上部に冷蔵室８、下部に冷凍室１２、両室間に野菜室１１を区画形成して成るものであって、冷蔵室８内に設置された給水タンク７４と、冷凍室１２内に設置された自動製氷機６１と、給水タンク７４に連通し、野菜室１１の背部に臨んだ給水結合部７８と、野菜室１１と冷凍室１２とを区画する断熱仕切壁９後部を上下に貫通し、自動製氷機６１上に対応して形成された貫通孔７９と、野菜室１１内に位置し、上端が給水結合部７８に着脱可能に連結されると共に、下端が貫通孔７９に着脱可能に挿入嵌合された給水管８１と、この給水管周囲に取り付けたヒータ８２とを備える。【選択図】    図９
2005180920.tif 000002
【特許請求の範囲】
【請求項１】
断熱箱体内の上部に冷蔵室、下部に冷凍室、前記両室間に野菜室を区画形成して成る冷蔵庫において、
前記冷蔵室内に設置された給水タンクと、
前記冷凍室内に設置された自動製氷機と、
前記野菜室内に位置する給水管と、
この給水管周囲に取り付けたヒータとを備えたことを特徴とする冷蔵庫。
【発明の詳細な説明】
【技術分野】
【０００１】
本発明は、断熱箱体内の上部に冷蔵室、下部に冷凍室、両室間には野菜室を区画形成して成る冷蔵庫に関するものである。
【背景技術】
【０００２】
従来よりこの種家庭用冷蔵庫は、鋼板製の外箱と硬質樹脂製の内箱間に発泡ポリウレタンなどの発泡断熱材を現場発泡方式にて充填した断熱箱体から構成されており、この断熱箱体内を区画することによって、−２０℃などの凍結温度に冷却される冷凍室や、＋５℃などの冷蔵温度に維持される冷蔵室、そして、野菜などの乾燥を嫌う食品を保存するための野菜室などを形成している。
【０００３】
特に、近年では例えば特許文献１に示される如く、頻繁に食品の納出が行われる冷蔵室や野菜室を上方に配置し、長期保存を目的とした冷凍室は庫内の最下部に配置した冷蔵庫が開発されている。この場合、冷蔵室は断熱箱体内の上部に、野菜室は下部の冷凍室と上部の冷蔵室の間に形成される。
【０００４】
また、冷凍室内には自動製氷機が取り付けられるが、この自動製氷機に給水するための給水タンクは通常冷蔵室内に設置される。そこで、前記公報では野菜室内を縦断する給水導管を取り付け、その上下を給水タンクと自動製氷機に連通して取り付けている。
【０００５】
特に前記公報では、野菜室の天面には給水タンクからの配管が、また、底面には自動製氷からの配管が取り付けられ、これら配管の間を蛇腹状の給水導管によって接続する方式が採られていた。これによって、給水導管を上下に伸縮可能とし、給水導管単体で野菜室側から取り付け・取り外しができるように企図していた。
【特許文献１】特開平８−３０３９１５号公報（Ｆ２５Ｄ１１／０２）
【発明の開示】
【発明が解決しようとする課題】
【０００６】
しかしながら、係る蛇腹状の導管は金属製の場合通常の配管に比して高価であり、樹脂製の場合には耐久性に問題がある。また、特に金属製のものを使用する場合、冷凍室側の配管にヒータを取り付けても、導管自体の熱伝導のために導管内の水が氷結してしまう。そして、この氷結によって蛇腹状の導管の伸縮性が損なわれてしまう問題もあった。
【０００７】
本発明は、係る従来の技術的課題を解決するために成されたものである。
【課題を解決するための手段】
【０００８】
本発明は、断熱箱体内の上部に冷蔵室、下部に冷凍室、前記両室間に野菜室を区画形成して成る冷蔵庫において、前記冷蔵室内に設置された給水タンクと、前記冷凍室内に設置された自動製氷機と、前記野菜室内に位置する給水管と、この給水管周囲に取り付けたヒータとを備えたことを特徴とする。
【０００９】
本発明によれば、給水管周囲にヒータを取り付けたので、冷凍室側からの熱伝導による給水管内部の氷結を確実に防止することができるようになる。
【発明の効果】
【００１０】
以上詳述した如く本発明によれば、給水管周囲にヒータを取り付けたので、冷凍室側からの熱伝導による給水管内部の氷結を確実に防止することができるようになる。
【発明を実施するための最良の形態】
【００１１】
次に、図面に基づき本発明の実施形態を詳述する。図１は本発明を適用した実施例としての冷蔵庫１の各扉を除く正面図、図２は同じく扉を除く冷蔵庫１の一部切欠正面図、図３は冷蔵庫１の縦断側面図、図４は冷蔵庫１のもう一つの縦断側面図である。
【００１２】
本発明の冷蔵庫１は、前方に開口する鋼板製の外箱２と、硬質樹脂製の内箱３間に発泡ポリウレタン断熱材４を現場発泡方式により充填して成る断熱箱体６により構成されており、この断熱箱体６の庫内は、略中央部に設けられた区画部材７によって上下に区画され、この区画部材７の上方を冷蔵温度（＋５℃程）に維持される冷蔵室８としている。
【００１３】
区画部材７の下方は更に断面略Ｌ字状の断熱仕切壁９にて上下に区画され、この断熱仕切壁９と区画部材７の間を野菜などの乾燥を嫌う食品を収納するための野菜室１１とし、断熱仕切壁９の下方を凍結温度（−２０℃程）に冷却される冷凍室１２としている。
【００１４】
前記冷蔵室８内には上下複数段の棚１３・・が架設されており、その下部には上面に開口する氷温容器１６が前後方向に納出自在に配置されている。この氷温容器１６の上側は棚板１７にて閉塞され、前面は氷温容器１６の引き出し動作で開閉する蓋１８にて閉じられており、これによって、氷温容器１６内に氷温（０℃〜−３℃）に維持される氷温室１９を構成する。
【００１５】
また、氷温容器１６左側方の冷蔵室８内には、図７に示す如く給水タンク７４が配設されており、この給水タンク７４の後部には給水ポンプ７６が取り付けられている。この給水ポンプ７６から出た配管７７は区画部材７後方を下方に延在し、その下端に形成された給水結合部７８は断熱仕切壁９上側の野菜室１１左背面上部に臨んで固定されている。尚、冷蔵室８の前面開口は回動式の扉２１にて開閉自在に閉塞されている。
【００１６】
更に、冷蔵室８の背部には上部がＹ字状に分岐した冷蔵室ダクト２４が上下に渡って形成されており、その左右には冷蔵室ダクト２４の上端部と冷蔵室８内に連通した冷蔵室冷気吐出口２６が上下に複数形成されている。また、前記氷温容器１６内の氷温室１９の背方にも冷蔵室ダクト２４に連通した氷温室冷気吐出口２５、２５が形成されると共に、その奥部には冷蔵室冷気戻り口２７が形成されている。即ち、氷温室１９内を循環した冷気と冷蔵室８内を循環した冷気の一部はこの冷蔵室冷気戻り口２７に流入する。
【００１７】
一方、前記区画部材７は、後部の仕切板２８とその前側の仕切前断熱部材２９とから構成されている。仕切板２８の前部には、冷蔵室冷気戻り口３１が形成されており、氷温容器１６の前部下側に位置している。この氷温容器１６は仕切板２８と仕切前断熱部材２９上に間隔を存して架設されており、これによって、扉２１の内側を降下して来た冷蔵室８内の冷気は、氷温容器１６の前側から冷蔵室冷気戻り口３１に流入可能としている。
【００１８】
他方、仕切前断熱部材２９の下面は後端部から前方に低く傾斜している。また、この仕切前断熱部材２９の下面前部には上蓋３２が前方から差し込まれて固定されている。この上蓋３２は仕切前断熱部材２９及び仕切板２８の下側に位置し、その固定部分を除いて仕切前断熱部材２９及び仕切板２８との間に所定の間隔Ｇを形成する。そして、この間隔Ｇは少なくとも上蓋３２の前端部で野菜室１１内に開放している。
【００１９】
この間隔Ｇの後端は連通孔３３にてその後方のダクト空間３４に連通しており、ダクト空間３４の上部は前記冷蔵室冷気戻り口２７に連通している。また、前記冷蔵室ダクト２４からはバイパスダクト３６が分岐して形成されており、このバイパスダクト３６はダクト空間３４の上部に連通している。
【００２０】
そして、前記野菜室１１の右上奥部には野菜室冷気戻り口３７が形成されており、この野菜室１１の前面開口は引き出し式の扉３８により開閉自在に閉塞される。この場合、扉３８の後面左右には図示しない扉側レールが後方に延在して取り付けられており、内箱３側左右には内箱側レール４２が取り付けられ、扉側レールがローラを介して内箱側レール４２に滑動自在に支持されるものである。
【００２１】
そして、この扉側レールには扉３８の裏面に位置して上面に開口した野菜容器４３が取り付けられる。この野菜容器４３の上縁周囲は、扉３８が閉じられた状態で上蓋３２に密着し、それによって、上面開口は閉塞される。
【００２２】
また、断熱仕切壁９の底壁９Ａ左後部には、下方の冷凍室１２内に連通して後述する自動製氷機６１に対応する貫通孔７９が上下に貫通形成されており、この貫通孔７９と前記給水結合部７８との間に渡って給水管８１が取り付けられる。この給水管８１は通常のアルミニウム或いは銅などの金属配管にて構成されており、図８、図９に示す如くその上端部は後方に屈曲され、更に、その周囲には電気ヒータ８２が上下に渡って貼り付けられている。また、その状態で給水管８１の周囲には断熱性のカバー８４、８６が両側から着脱可能に取り付けられ、これによって、給水管８１及び電気ヒータ８２は被覆されている。
【００２３】
また、断熱仕切壁９の背壁９Ｂ（野菜室１１の背壁）の左側部には上下に渡って凹所としての凹溝８７が形成されている。そして、この凹溝８７は前記カバー８４、８６が取り付けられた状態の給水管８１の後半分が進入可能な寸法とされている。更に、ぜんき貫通孔７９は係る給水管８１のカバー８４、８６の下端が略キッチリと嵌合できる寸法とされている。
【００２４】
以上の構成で、係る給水管８１を取り付ける際には、先ず、カバー８４、８６にて被覆された状態の給水管８１のカバー８４、８６下端部を、野菜室１１側から貫通孔７９内に着脱可能に挿入嵌合する。この状態で給水管８１の下端は前記自動製氷機６１上に臨み（図７）、貫通孔７９はカバー８４、８６にて断熱的に密閉される。次ぎに、給水管８１の上端を給水結合部７８に対応させて野菜室１１側から後方に押し込み、着脱可能に連結する。この状態で、カバー８４、８６にて被覆された給水管８１の上半分は前記凹溝８７内に進入し、位置決めされると共に、その分野菜室１１側への張り出しが少なくなる。
【００２５】
一方、前記冷凍室１２の背部には仕切板４４により冷却室４６が画成されており、この冷却室４６は冷凍室１２の背方から野菜室１１後面の断熱仕切壁９の背方まで渡っている。そして、この冷却室３６内には冷却装置を構成する冷却器４７が縦設されると共に、この冷却器４７の上方の冷却室４６内には、野菜室１１背方の断熱仕切壁９背方に位置して送風機４８が設置されている。尚、図５は仕切板４４を装着した状態の冷凍室１２の正面図である。図６は仕切板４４を取り去った冷却室４６の正面図で、図６中４９は冷却器４７の除霜ヒータである。
【００２６】
この冷凍室１２の前面開口は前述の扉３８の場合と同様の方式で引き出し自在とされた上下二段の引き出し式の扉５１、５２により開閉自在に閉塞される。これら扉５１、５２の裏面にはそれぞれ上面に開口した容器５３、５４が取り付けられると共に、各容器５３、５４が冷凍室１２内の上下に配置されて、冷凍食品やアイスクリームなどを収納するかたちとなる。
【００２７】
前記仕切板４４と冷却器４７及び送風機４８間には冷気分配用ダクト５６が形成されており、仕切板４４にはこのダクト５６と冷凍室１２とに連通する冷凍室冷気吐出口５７、５８が各容器５３、５４の上奥部に対応して開口している。また、断熱仕切壁９の下面にはダクト５６に連通した冷凍室用冷気ダクト６４が形成されている。冷凍室１２内上部には自動製氷機６１が取り付けられており、自動製氷機６１には冷凍室冷気吐出口５７から冷気が供給される。尚、容器５４の背方には冷却室４６の下部に連通した冷凍室冷気戻り口６３が形成されている。
【００２８】
ダクト５６の上部には送風機４８の側方に位置して冷気分配口６６が形成され、この冷気分配口６６から上昇する連通ダクト６７は、野菜室１１の背方において冷蔵室ダクト２４の下端に連通している。この連通ダクト６７内には、前記各吐出口２６、２５やバイパスダクト３６の手前に位置して、モータ駆動のダンパー６８が取り付けられており、野菜室１１の背方に位置している。
【００２９】
また、冷却器４７の右側方には冷蔵室・野菜室冷気戻りダクト７１が形成されており、その上端は前記野菜室冷気戻り口３７に連通し、その下端は冷却室４６の下部に開口した冷蔵室・野菜室冷気戻り口７２にて冷却室４６内に連通している。
【００３０】
この場合、冷却器４７下側の冷却室４６には右方に突出した凹部４６Ａ（図６参照）が連続して形成されており、前記冷蔵室・野菜室冷気戻り口７２は、この凹部４６Ａの上面において、下前方に指向した状態で開放している（図３参照）。
【００３１】
一方、断熱箱体６の底壁は後部が階段状に立ち上がる形状とされており、この底壁の後部外側には機械室７３が形成されている。この機械室７３内には冷却装置を構成する図示しない圧縮機や蒸発皿コンデンサなどが設置される。
【００３２】
係る構成で動作及び冷気循環を説明する。前記圧縮機と送風機４８が運転されると、冷却器４７が冷却作用を発揮する。この冷却器４７にて冷却された極めて低温（−２５℃〜−３０℃）の冷気は上方の送風機４８の運転により吸引され、前方の分配ダクト５６に吹き出される。分配ダクト５６に吹き出された冷気は冷凍室冷気吐出口５７、５８及び冷凍室用ダクト６４から冷凍室１２内の各容器５３、５４及び自動製氷機６１内に吐出され、−２０℃程の凍結温度に冷却する。
【００３３】
ここで、給水ポンプ７６が運転されると、冷蔵室８内の給水タンク７４から配管７７及び給水管８１を介して自動製氷機６１に給水されるので、ここで、自動製氷が行われる。そして、冷凍室１２内の冷気は冷凍室冷気戻り口６３から冷却器４７の吸い込み側の冷却室４６内に帰還する（各図に矢印で示す）。
【００３４】
分配ダクト５６に吹き出された冷気はまた、冷気分配口６６から連通ダクト６７及びダンパー６８を経て冷蔵室ダクト２４に流入し、そこを上昇した後、各冷蔵室冷気吐出口２６・・及び氷温室冷気吐出口２５より冷蔵室８及び氷温室１９内に吐出される（図中矢印参照）。ダンパー６８は冷蔵室８内の温度に基づき制御されて連通ダクト６７を開閉し、それによって、冷蔵室８内を＋５℃程の冷蔵温度に、氷温室１９内は０℃〜−３℃程の氷温に維持される。
【００３５】
尚、このダンパー６８を経た冷気（冷却器４７と熱交換した直後の低温の冷気）の一部は前記バイパスダクト３６に流入し、直接ダクト空間３４の上部に流入する。
【００３６】
他方、冷蔵室８内を循環して扉２１の内側を流下して来た冷気は、氷温容器１６の前部下側の冷蔵室冷気戻り口３１から上蓋３２と区画部材７間の間隔Ｇ内に流入する。そして、前方に移動しながら仕切前断熱部材２９下面の傾斜に沿って下方の野菜容器４３周囲の野菜室１１内の空間に流下する。
【００３７】
また、氷温室１９内を循環した冷気と、冷蔵室８内を循環した冷気の残りは後部の冷蔵室冷気戻り口２７からダクト空間３４内上部に流入し、そこで、バイパスダクト３６を経て来た低温の冷気と混合される。その後、連通孔３３から間隔Ｇの後部に流入し、前述同様に前方に移動し、途中冷蔵室冷気戻り口３１からの冷気と混じり合いながら仕切前断熱部材２９下面の傾斜に沿って下方の野菜容器４３周囲の野菜室１１内の空間に流下する。
【００３８】
これによって、野菜容器４３内を周囲から保冷する。そして、野菜室１１内を循環した冷気は野菜室冷気戻り口３７より冷蔵室・野菜室冷気戻りダクト７１に流入し、そこを流下して冷蔵室・野菜室冷気戻り口７２より冷却器４７の吸い込み側の冷却室４６内に帰還する（各図中矢印参照）。
【００３９】
このとき、冷蔵室・野菜室冷気戻り口７２は、冷却器４７下側の冷却室４６に連続して右方に突出形成された凹部４６Ａの上面において、下前方に指向した状態で開放されているので、冷却器５６との間に充分な距離が確保されている。従って、比較的温度の高い湿った冷気が冷蔵室・野菜室冷気戻り口７２から冷却室４６内に吹き出されても、戻り口７２周囲に着霜が生じ難くなる。
【００４０】
また、冷却器５６の局部的な着霜も生じ難くなるので、霜閉塞による冷却効果の悪化も抑制される。そして、除霜ヒータ４９による冷却器４７の除霜時にも露水が戻り口７２に付着することが無くなると共に、戻り口７２は冷却室４６（凹部４６Ａを含む）底面から離間しているので、除霜時に冷却器４７から滴下した除霜水が戻り口７２に流入する危険性も無い。これにより、冷蔵室・野菜室冷気戻り口７２周囲の水シールが不要となり、構造が簡素化される。
【００４１】
特に、以上のようにダンパー６８を経た冷気の一部を、冷蔵室８や氷温室１９内を経ること無く直接野菜室１１に供給するバイパスダクト３６を設けたので、このバイパスダクト３６から野菜室１１に冷蔵室８などを経ていない新鮮な（低温）冷気を供給することができるようになる。
【００４２】
これにより、野菜室１１には冷蔵室８からの戻り冷気に加えて低温の冷気が供給されるようになるので、冷蔵室８側の負荷の状況に拘わらず、野菜室１１を安定的に冷却することができるようになる。
【００４３】
また、区画部材７を、仕切板２８とこの仕切板２８の前側に設けられた仕切前断熱部材２９とから構成し、仕切板２８には氷温容器１６の前部下側に位置して冷蔵室冷気戻り口３１を形成すると共に、仕切前断熱部材２９の下面を前方に低く傾斜させたので、冷蔵室８からの戻り冷気は氷温容器１６の前部下側から区画部材７と上蓋３２間の間隔Ｇに流入し、前方に移動しながら仕切前断熱部材２９下面の傾斜に沿って下方の野菜容器４３周囲に流下するようになる。
【００４４】
そして、野菜容器４３周囲を循環した冷気は野菜室１１の上奥部の野菜室冷気戻り口３７に流入するので、これらによって、野菜容器４３周囲を冷気が満遍なく円滑に循環できるようになり、野菜容器４３内を斑無く良好に冷却することが可能となる。特に、冷蔵室冷気戻り口３１は氷温容器１６の下側にあるので、見え難く、扉２１を開けた状態の外観にも支障を生じない。
【００４５】
更に、氷温容器１６後側に形成されたもう一つの冷蔵室冷気戻り口２７から出た冷気がバイパスダクト３６を経た冷気と混じり合い、区画部材７と上蓋３２間の間隔Ｇ後部に流入するようにしたので、バイパスダクト３６からの冷気が直接当たる区画部材７の仕切板２８或いは上蓋３２部分の野菜室１１が過冷却されることを防止することができる。これにより、野菜室１１の冷却効果を維持しつつ、仕切板２８や上蓋３２に断熱材を貼る必要性や、野菜室１１内の温度斑の発生を一層効果的に解消することができるようになる。
【００４６】
他方、以上において自動製氷機６１への給水管８１は冷凍室１２からの冷却作用を受けるが、給水管８１周囲には電気ヒータ８２が貼り付けられているので、内部の水が氷結することは無い。また、万一給水管８１内に異物が詰まった場合などには、先ず、扉３８を野菜容器４３ごと取り外して、野菜室１１側から給水管８１の上端を給水結合部７８から手前に引き抜く。次ぎに、給水管８１の下端を嵌合孔７９から上方に引き抜いて給水管８１を取り外す。その後、新たな給水管８１を取り付ける場合には、前述同様の手順にて取り付けることになる。
【００４７】
本願の冷蔵庫は、断熱箱体内の上部に冷蔵室、下部に冷凍室、両室間に野菜室を区画形成して成るものであって、冷蔵室内に設置された給水タンクと、冷凍室内に設置された自動製氷機と、給水タンクに連通し、野菜室の背部に臨んだ給水結合部と、野菜室と冷凍室とを区画する断熱仕切壁後部を上下に貫通し、自動製氷機上に対応して形成された貫通孔と、野菜室内に位置し、上端が給水結合部に着脱可能に連結されると共に、下端が貫通孔に着脱可能に挿入嵌合された給水管とを備えているものである。
【００４８】
本願によれば、断熱箱体内の上部に冷蔵室、下部に冷凍室、両室間に野菜室を区画形成して成る冷蔵庫において、冷蔵室内に設置された給水タンクと、冷凍室内に設置された自動製氷機とを備え、給水タンクに連通して野菜室の背部に臨んだ給水結合部を設けると共に、野菜室と冷凍室とを区画する断熱仕切壁後部を上下に貫通し、自動製氷機上に対応した貫通孔を形成し、野菜室内には上端が給水結合部に着脱可能に連結され、下端が貫通孔に着脱可能に挿入嵌合される給水管を設けたので、給水管の下端を貫通孔に差し込んで嵌合し、次ぎに上端を給水結合部に連結させることによって、給水管は取り付けられ、取り外す際には逆の順序にて作業を行えるようになる。
【００４９】
これにより、蛇腹状の導管を用いること無く野菜室側からの給水管の着脱を容易とし、安価に組立作業性とメンテナンス作業性の双方を向上させることができるようになるものである。
【００５０】
本願の冷蔵庫は、上記において給水管周囲にはヒータを取り付けたものである。
【００５１】
本願によれば、上記に加えて給水管周囲にヒータを取り付けたので、冷凍室側からの熱伝導による給水管内部の氷結を確実に防止することができるようになると共に、給水管の取り付けと同時にヒータも取り付けられるので、組立作業性も一段と向上するものである。
【００５２】
本願の冷蔵庫は、上記各発明において野菜室の背壁には給水管が侵入する凹所を上下に形成したものである。
【００５３】
本願によれば、上記各発明に加えて野菜室の背壁に給水管が侵入する凹所を上下に形成したので、給水管の野菜室側への張り出しを縮小し、野菜室の有効容積を拡張することができるようになるものである。
【図面の簡単な説明】
【００５４】
【図１】本発明を適用した実施例としての冷蔵庫の各扉を除く正面図である。
【図２】同じく扉を除く本発明の冷蔵庫の一部切欠正面図である。
【図３】本発明の冷蔵庫の縦断側面図である。
【図４】本発明の冷蔵庫のもう一つの縦断側面図である。
【図５】本発明の冷蔵庫の冷凍室部分の正面図である。
【図６】本発明の冷蔵庫の冷却室部分の正面図である。
【図７】本発明の冷蔵庫の野菜室部分の拡大断面図である。
【図８】本発明の冷蔵庫の給水管及びカバーなどの側面図である。
【図９】本発明の冷蔵庫の給水管及びカバーなどの分解斜視図である。
【符号の説明】
【００５５】
１  冷蔵庫
２  外箱
３  内箱
４  ポリウレタン断熱材
７  区画部材
８  冷蔵室
９  断熱仕切壁
１１  野菜室
１２  冷凍室
１６  氷温容器
２４  冷蔵室ダクト
２７、３１  冷蔵室冷気戻り口
２８  仕切板
２９  仕切前断熱部材
３２  上蓋
３４  ダクト空間
３６  バイパスダクト
３７  野菜室冷気戻り口
４３  野菜容器
４６  冷却室
４７  冷却器
４８  送風機
５６  分配ダクト
６１  自動製氷機
６７  連通ダクト
６８  ダンパー
７４  給水タンク
７８  給水結合部
７９  貫通孔
８１  給水管
８２  電気ヒータ
８７  凹溝（凹部）
【図１】
2005180920.tif 000003
【図２】
2005180920.tif 000004
【図３】
2005180920.tif 000005
【図４】
2005180920.tif 000006
【図５】
2005180920.tif 000007
【図６】
2005180920.tif 000008
【図７】
2005180920.tif 000009
【図８】
2005180920.tif 000010
【図９】
2005180920.tif 000011